(57)【特許請求の範囲】
【請求項１】
２枚のシートを含んで構成されるマット本体の内部に、マットの第１の側辺部、及び前記第１の側辺部に向き合う第２の側辺部に対して直角方向に、細長い隔壁シートで形成された複数の隔壁を設けて複数個の細長い空気室を構成し、マットの前記第１及び第２の側辺部においては各前記隔壁を前記シートに対して溶着すると共に、前記第１と第２の側辺部に互い違いに前記細長い空気室に対する第１の空気流通口を形成し、
前記第１及び第２の側辺部に沿って、前記細長い空気室と前記第１の空気流通口を介して連通する空気室を設け、
前記空気室の側辺部の前記第１の空気流通口に対する位置に、複数個の波形状の膨出部を設け、
前記２枚のシートの間に前記隔壁シートを長手方向に二つ折りにしかつ隣接する前記隔壁シートの間に間隙部が形成されるように配置し、前記２枚のシートと前記隔壁シートを重畳した状態で前記溶着を行なうことを特徴とするエアーマット。
【請求項２】
利用者の頭部が位置する部分における複数個の前記隔壁へ第２の空気流通口を設けて独立した頭部空気室を構成し、この頭部空気室と他の空気室との間に逆流防止弁を設けたことを特徴とする請求項１記載のエアーマット。
【発明の詳細な説明】
【０００１】
【産業上の利用分野】
本発明はエアーマットに関する。
【０００２】
【従来の技術】
体位変換等の操作を自力で行なうことができない患者等の場合、介護者により時折体位変換を行なわないと床ずれ、気分転換等の面から患者にとって好ましくないことになる。
【０００３】
このため、床ずれ対策として従来から数種類のエアーマットが提案されている。
【０００４】
【発明が解決しようとする課題】
例えば、軟質性シートで形成された円筒状空気袋を複数個並列に設け、各空気室を２組に分け、各組の空気袋をそれぞれ空気ホースで連通し、各組の空気袋を交互に膨縮させることにより体位変換を行なうものが知られている。この場合、各空気袋が独立になっているためエアーマットを製造する際に各空気袋をそれぞれ台座に固定しなければならず複雑になると共に、各空気袋間の間隔が大きくなるので利用者に空気袋の突出感を生じさせる。
【０００５】
また、エアーマットは軟質性のシートによって形成された空気室によって荷重を支持するため、利用者の体の動きによる荷重負荷個所の変化に伴い、その負荷個所において空気室内の空気が流動するためにエアーマット自体が急激に変位する。従って、安定感が損なわれる。
【０００６】
本発明の目的は、上記問題点を解決することができるエアーマットを提供することにある。
【０００７】
【課題を解決するための手段】
上記目的を達成するため、本発明によれば、２枚のシートを含んで構成されるマット本体の内部に、マットの第１の側辺部、及び前記第１の側辺部に向き合う第２の側辺部に対して直角方向に、細長い隔壁シートで形成された複数の隔壁を設けて複数個の細長い空気室を構成し、マットの前記第１及び第２の側辺部においては各前記隔壁を前記シートに対して溶着すると共に、前記第１と第２の側辺部に互い違いに前記細長い空気室に対する第１の空気流通口を形成し、前記第１及び第２の側辺部に沿って、前記細長い空気室と前記第１の空気流通口を介して連通する空気室を設け、前記空気室の側辺部の前記第１の空気流通口に対する位置に、複数個の波形状の膨出部を設け、前記２枚のシートの間に前記隔壁シートを長手方向に二つ折りにしかつ隣接する前記隔壁シートの間に間隙部が形成されるように配置し、前記２枚のシートと前記隔壁シートを重畳した状態で前記溶着を行なうことを特徴とするエアーマットが提供される。
【０００８】
好ましくは、前記２枚のシートの間に細長い隔壁シートを長手方向に二つ折りにしかつ隣接する隔壁シートの間に間隙部が形成されるように配置し、前記２枚のシートと前記隔壁シートを重畳した状態で前記溶着を行ない、この時前記間隙部に複数個所の非溶着部を形成する。
【０００９】
エアーマットの側辺部に、前記複数個の細長い空気室の長手方向に対して直角方向に該細長い空気室の前記第１の空気流通口と連通する空気室を設けることが好ましい。
また、前記細長い空気室の前記第１の空気流通口と連通する空気室の側辺部に複数個の膨出部を設けて波形状とし、該膨出部に前記第１の空気流通口を位置させることが好ましい。
【００１０】
更に、利用者の頭部が位置する部分における複数個の前記隔壁へ第２の空気流通口を設けて独立した頭部空気室を構成し、この頭部空気室と他の空気室との間に逆流防止弁を設けることが好ましい。
【００１１】
【作用】
本発明のエアーマットによれば、マット本体の内部にマットの側辺部に対して直角方向に複数の隔壁を設けて複数個の細長い空気室を構成して各隔壁をマットの側辺部において溶着した。このため、エアーマットを製造する際に各空気室を簡単に一体的にすることができ、また、各空気室間に間隔が形成されないので利用者に空気袋の突出感を生じさせず、さらに利用者の体の動きによる荷重負荷個所が変化しても、その負荷個所において空気室内の空気の流れが隔壁によって抑制されるため、エアーマット自体が急激に変位することがなく、安定感が得られる。
【００１２】
【実施例】
以下、図面に示した実施例に基づいて本発明を説明する。
図１は本発明のエアーマットの一実施例の平面図、図２は同実施例の断面図、図３は図１のＡ−Ａ断面図、図４は図１の一部拡大図である。
【００１３】
エアーマット１は、空気密封性の軟質材料からなる２枚のシート２，３を有し、シート２，３はその両側辺部（エアーマット１の両側辺部）１ａ，１ｂを溶着されて袋状とされ、その内部にシート２，３と同じ材料からなる複数の細長い形状の隔壁シート（隔壁）４が設けられている。以下に説明するように、この隔壁シート４はエアーマット１の空気室の隔壁を構成するものであり、エアーマット１の両側辺部１ａ，１ｂでシート２，３へ溶着され、該シート２，３と一体に形成されると共に各隔壁シート４間に細長い長方形状の小空気室（細長い空気室）６を複数個形成する。
【００１４】
隔壁シート４を溶着するときは、図２に示すように、シート２，３の間に隔壁シート４を該隔壁シート４の長手方向に二つ折りにした状態で配置する。このとき、各隔壁シート４間には、シート２，３とこの隔壁シート４を重畳した状態で間隙ｄが形成されるように配置される。
【００１５】
図３は隔壁シート４の一方の端部（エアーマット１の一方の側辺部１ａ側の端部）の溶着部分を示す。この溶着の際には、隔壁シート４間の間隙ｄの部分において空気流通口となる開口部７を形成する複数個の非溶着部を設け、他の部分は溶着される。なお、図において８は溶着部を示す。
【００１６】
各空気室を図１の右方から順番に番号を付すると、各溶着部８は偶数番号の小空気室６ｂを完全に封鎖し、奇数番号の小空気室６ａの端部には非溶着部を設けて開口部７を形成している。
【００１７】
このような溶着により、エアーマット１の側辺部１ａにも空気室９が形成される。この空気室９は複数個の細長い小空気室６の長手方向に対して直角方向に設けられ、奇数番号の空気室は開口部７によって側辺部１ａの空気室９と連通している。これとは逆に、各溶着部８は奇数番号の小空気室６ａを完全に封鎖し、偶数番号１３ｂの空気室は開口部７によって側辺部１ａの空気室９と連通させてもよい。
【００１８】
このようにしてエアーマット１の一方の側辺部１ａにおいて開口部７を形成された小空気室６ａの反対側の端部（エアーマット１の側辺部１ｂ側の端部）は溶着されて閉鎖され、また、エアーマット１の一方の側辺部１ｂにおいて閉鎖された小空気室６ｂの反対側の端部（エアーマット１の側辺部１ｂ側の端部）は開口部７を形成されている。また、エアーマット１の側辺部１ｂにも前述の空気室９と同様な空気室１０が形成される。
【００１９】
偶数番号の小空気室６ａはそれぞれ連通してエアーマット１の一方の側辺部１ａの空気室９と共にひとつの連続した空気系を形成し、偶数番号の小空気室６ｂも同様にそれぞれ開口部７を空気流通口として連通して他方の側辺部１ｂの空気室１０と共にひとつの連続した空気系を形成する。このように偶数番号の小空気室６ｂと奇数番号の小空気室６ａとは互いに独立した空気系を形成し、この２つの独立した空気系へそれぞれ給排気孔１１，１２が設けられている。各給排気孔１１，１２にはそれぞれエアホース１１ａ，１２ａが接続され、図示しない空気供給源からの空気をエアーマット１へ供給可能とされている。
【００２０】
シート２，３の両側辺部の空気室９，１０は、図１及び図４に示したように各小空気室６の開口部７に対応する部分へ膨出部を形成されて波形の形状とされている。
【００２１】
また、マットの利用者の頭部が位置する側（図１の左方側）の複数個の小空気室６の両端部の溶着部には開口部７は形成されず閉鎖され、かつ各小空気室６間にそれぞれ通気孔（空気流通口）１３を設けられて独立した頭部空気室１４とされている。この頭部空気室１４と他の空気室との間には逆流防止弁１５が設けられている。
【００２２】
以上の構成を有するエアーマットにおいて、２つの給排気孔１２，１３により時間差を設けて２つの空気系を交互に給排気すると、各小空気室６ａ，６ｂが交互に膨縮し、マッサージ効果が得られ、同時に、荷重負荷点の変換を行なうことができる。また、２つの空気系へ同じ圧力の空気を供給することにより体圧を広範囲に分散させることができる。
【００２３】
本実施例においては、上述のように複数個の細長い小空気室６を構成したので荷重負荷個所が変化する際に荷重負荷個所における空気室の空気の流れは隔壁シート４によって抑制されるのでマットの急激な変位を防ぐことができ、ウォーターベッドと同等の安定感が得られる。
【００２４】
また、シート２，３の両側辺部の開口部７が膨出する波形の形状部と合致させるようにしたことにより、開口部７を通じて空気を封入する時に給気がスムーズに行なわれる。また、エアーマット１の側辺部に寸法変化が生じるとマット側辺部に不規則な折れが生じて空気の流通を阻害するおそれがあるが、この波形形状部分により、寸法変化を吸収するので、このような不規則な折れの発生を防止することができる。
【００２５】
さらに、頭部空気室１４を設け、この頭部空気室１４と他の空気室との間に逆流防止弁１５を設けたことにより、各空気室が交互に膨縮する際にも頭部空気室１４は膨張した状態を保つことができる。
【００２６】
以上実施例に沿って本発明を説明したが、本発明はこれらに制限されるものではない。たとえば、種々の変更、改良、組み合わせ等が可能なことは当業者に自明であろう。
【００２７】
【発明の効果】
本発明のエアーマットによれば、マット本体の内部にマットの側辺部に対して直角方向に複数の隔壁を設けて複数個の細長い空気室を構成して各隔壁をマットの側辺部において溶着したので、次のような効果を奏する。
【００２８】
（１）エアーマットを製造する際に各空気室を簡単に一体的にすることができる。
（２）各空気袋間に間隔が形成されないので利用者に空気袋の突出感を生じさせない。
（３）利用者の体の動きによる荷重負荷個所が変化しても、その負荷個所においてエアーマット自体が急激に変位することがなく、安定感が得られる。
【図面の簡単な説明】
【図１】本発明のエアーマットの一実施例の平面図である。
【図２】同の実施例の断面図である。
【図３】図１のＡ−Ａ断面図である。
【図４】図１の一部拡大図である。
【符号の説明】
１  エアーマット
１ａ，１ｂ  側辺部
２，３  シート
４  隔壁シート（隔壁）
６，６ａ，６ｂ  小空気室（細長い空気室）
７  開口部（空気流通口）
８  溶着部
９，１０  空気室
１１，１２  給排気孔
１３  通気孔（空気流通口）
１４  頭部空気室
１５  逆流防止弁
【図１】
0003549562.tif 000002
【図２】
0003549562.tif 000003
【図３】
0003549562.tif 000004
【図４】
0003549562.tif 000005